(57)【要約】【課題】加熱室側面に設置した温度過昇防止装置への外部からの水の付着による絶縁低下、感電を防止すること。【解決手段】加熱室１に高周波を供給するマグネトロン３１（高周波発生装置）と、マグネトロン３１を冷却する冷却手段３２と、加熱室１側面に設けられ冷却手段３２によりマグネトロン３１を冷却した後の風を加熱室１内に導く吸気口１４と、加熱室１において吸気口１４と対向する加熱室１側面に設けられた排気口１２と、排気口１２を有する加熱室１側面の外側に排気口１２と対向する位置に設置され、上端を加熱室１に締結された排気誘導板１１と、排気誘導板１１上でかつ排気口１２と対向する位置に設置された温度スイッチ１３（温度過昇防止装置）を備え、排気誘導板１１は、温度スイッチ１３の部分に排気口１２に向かって凹形状をなし、温度スイッチ１３上方に廂構造を備える。【選択図】図３
2014070879.tif 000002
【特許請求の範囲】
【請求項１】
開口部を有し被加熱物を加熱する加熱室と、前記加熱室に高周波を供給する高周波発生装置と、前記高周波発生装置を冷却する冷却手段と、前記加熱室側面に設けられ前記冷却手段により前記高周波発生装置を冷却した後の風を前記加熱室内に導く吸気口と、前記加熱室において前記吸気口と対向する前記加熱室側面に設けられた排気口と、前記排気口を有する前記加熱室側面の外側に前記排気口と対向する位置に設置され、上端を前記加熱室に締結された排気誘導板と、前記排気誘導板上でかつ前記排気口と対向する位置に設置された温度過昇防止装置とを備え、前記排気誘導板は、前記温度過昇防止装置の設置位置が前記排気口に向かって凹形状をなし、前記温度過昇防止装置上方に廂構造を備えた高周波加熱調理器。
【請求項２】
前記排気誘導板は前記凹形状部以外の側面に前記加熱室内から排出される排気量を制限するためのガイド形状を有する請求項１に記載の高周波加熱調理器。
【請求項３】
前記排気誘導板は下端に係止形状を有し、前記加熱室の下方に設置され前記加熱室を支持している底板に設けられた被係止手段によって係止する請求項１または２に記載の高周波加熱調理器。
【請求項４】
前記排気誘導板の表面にスペーサーを設置し、前記加熱室を覆う外板と前記排気誘導板の隙間をなくし、かつ前記排気誘導板の下端と加熱室の隙間をなくした請求項１または２に記載の高周波加熱調理器。
【発明の詳細な説明】
【技術分野】
【０００１】
本発明は高周波加熱調理器において、外部からの水浸入および加熱器内からの結露により生じる漏電への対策、および温度過昇防止装置の配置に関するものである。
【背景技術】
【０００２】
従来、この種の高周波加熱調理器は、加熱室内に置かれた食品等の加熱物を高周波発生装置（以下、マグネトロンという。）によって加熱されるが、食品を加熱し過ぎると加熱室内において食品が燃焼し、加熱室が異常温度上昇して、炎が高周波加熱調理器外部に延焼し、火災が発生する恐れがある。
【０００３】
図７は、従来の高周波加熱調理器の加熱室および温度スイッチ１３を加熱室の排気口近傍の天板１８上に直接固定した構成を示す斜視図である。加熱室の外部排気口１６近傍の加熱室の天板１８に異常温度上昇を検知して作動する温度過昇防止装置（以下、温度スイッチ１３という。）を設置し、この温度スイッチ１３が作動した時に、図示しないマグネトロンおよび送風機などへの通電を遮断することにより、外部への延焼を防いでいる（例えば、特許文献１参照）。
【０００４】
また、図８は、従来の高周波加熱調理器において、温度スイッチを加熱室側面に取り付けた斜視図である。
【先行技術文献】
【特許文献】
【０００５】
【特許文献１】特開昭６２−２９９６２４号公報
【発明の概要】
【発明が解決しようとする課題】
【０００６】
しかしながら、前記従来の構成では、裏板１５に構成された外部排気口１６等の外部への排気手段の孔から何らかの理由で加熱室の天板１８方向に水が浸入した際に、その浸入した水は容易に天板１８上の温度スイッチ１３に到達することになる。温度スイッチ１３はその機能から充電部であり、水の付着は絶縁性を満足できない状態になってしまい、感電の恐れを生じてしまうことになる。
【０００７】
また、加熱物を加熱する手段として高周波加熱だけでなく、ヒーター加熱を有する加熱調理器においては、ヒーター１７は天板上に配置されることがあり、その場合、排気口近傍の天板上に配置している温度スイッチ１３はヒーター通電時（ヒーター調理時）においても温度スイッチ接触面の温度上昇が大きく、通常のヒーター調理時に誤検知が働く可能性を有している。ヒーター調理時の温度スイッチの誤検知を避けるためにはヒーター熱源から温度スイッチを離すことが効果的であり、それを考慮して温度スイッチを加熱室１側面の排気口１２近傍に配置することは一般的に知られている。
【０００８】
この従来の図８の構成では、図７の水の浸入の課題と同様に、浸入した水は排気誘導板１１を介して温度スイッチに容易に到達することになる。よって温度スイッチへの水の付着による感電の恐れは発生する。
【０００９】
本発明は、前記従来の課題を解決するもので、加熱室側面の排気口に対向する位置に設置された排気誘導板と、前記排気誘導板上に温度スイッチを有する構造の高周波加熱調理器において、前記高周波加熱調理器外部からの水の浸入による温度スイッチへの水の付着
を防止する構造とした高周波加熱調理器を提供することを目的とする。
【課題を解決するための手段】
【００１０】
前記従来の課題を解決するために、本発明の高周波加熱調理器は、開口部を有し被加熱物を加熱する加熱室と、前記加熱室に高周波を供給する高周波発生装置と、前記高周波発生装置を冷却する冷却手段と、前記加熱室側面に設けられ前記冷却手段により前記高周波発生装置を冷却した後の風を前記加熱室内に導く吸気口と、前記加熱室において前記吸気口と対向する前記加熱室側面に設けられた排気口と、前記排気口を有する前記加熱室側面の外側に前記排気口と対向する位置に設置され、上端を前記加熱室に締結された排気誘導板と、前記排気誘導板上でかつ前記排気口と対向する位置に設置された温度過昇防止装置とを備え、前記排気誘導板は、前記温度過昇防止装置の部分に前記排気口に向かって凹形状をなし、前記温度過昇防止装置上方に廂構造を備えたものである。
【００１１】
これによって、高周波加熱調理器外部から加熱室の天板方向に水が浸入し、さらに排気誘導板を介して排気誘導板の下方向に水が滴下する場合においても、温度過昇防止装置上方に備えた廂によって温度過昇防止装置への水の滴下を防止することが可能となり、温度過昇防止装置すなわち高周波加熱調理器の絶縁性を満足することが可能となり、感電の危険を防ぐことができる。また、加熱室天面にヒーターを有する高周波加熱調理器においても、温度過昇防止装置を加熱室側面の排気口近傍に設置することが可能であるため、ヒーター調理時の温度過昇防止装置の誤検知を防止することができる。
【発明の効果】
【００１２】
本発明の高周波加熱調理器は、加熱室側面に設置した排気誘導板に排気口に向かって凹形状をなし、温度スイッチ上方に廂構造を備えることにより、高周波加熱調理器外部からの水の浸入による温度スイッチへの水の付着、すなわち感電の危険性を防止することが可能となる。
【図面の簡単な説明】
【００１３】
【図１】本発明の実施の形態１における高周波加熱調理器の外観斜視図
【図２】本発明の実施の形態１における高周波加熱調理器の庫内吸気側の斜視図
【図３】本発明の実施の形態１における高周波加熱調理器の庫内排気側の斜視図
【図４】（ａ）本発明の実施の形態１における高周波加熱調理器の排気誘導板の曲げによる凹部形状の斜視図（ｂ）本発明の実施の形態１における高周波加熱調理器の排気誘導板の絞りによる凹部形状の斜視図
【図５】（ａ）本発明の実施の形態１における高周波加熱調理器の排気誘導板および底板の要部断面図（ｂ）本発明の実施の形態１における高周波加熱調理器の排気誘導板および底板近傍の斜視図
【図６】本発明の実施の形態１における高周波加熱調理器の排気誘導板、底板、外板の要部断面図
【図７】従来の高周波加熱調理器において温度スイッチを天板に取り付けた構造を示す斜視図
【図８】従来の高周波加熱調理器において温度スイッチを加熱室側面に取り付けた構造を示す斜視図
【発明を実施するための形態】
【００１４】
第１の発明は、開口部を有し被加熱物を加熱する加熱室と、前記加熱室に高周波を供給する高周波発生装置と、前記高周波発生装置を冷却する冷却手段と、前記加熱室側面に設けられ前記冷却手段により前記高周波発生装置を冷却した後の風を前記加熱室内に導く吸気口と、前記加熱室において前記吸気口と対向する前記加熱室側面に設けられた排気口と、前記排気口を有する前記加熱室側面の外側に前記排気口と対向する位置に設置され、上
端を前記加熱室に締結された排気誘導板と、前記排気誘導板上でかつ前記排気口と対向する位置に設置された温度過昇防止装置とを備え、前記排気誘導板は、前記温度過昇防止装置の設置位置が前記排気口に向かって凹形状をなし、前記温度過昇防止装置上方に廂構造を備えることにより、前記高周波加熱調理器裏面を構成する裏板に構成された外部排気口１６等の外部への排気手段の孔から何らかの理由で加熱室の天板方向に水が浸入し、さらに排気誘導板を介して排気誘導板の下方向に水が滴下する場合において、温度過昇防止装置上方に備えた廂によって温度過昇防止装置への水の滴下、付着を防止することができる。
【００１５】
第２の発明は、特に、第１の発明の高周波加熱調理器において、排気誘導板を前記凹形状部以外の側面に前記加熱室内から排出される排気量を制限するためのガイド形状を有することにより、高周波加熱調理器外部へ排出される排気の方向、量を調節することが可能になり、高周波加熱調理器表面の温度や、高周波加熱調理器を設置する置き台側面の温度上昇を緩和することが可能になる。
【００１６】
第３の発明は、特に、第１または第２の発明の高周波加熱調理器において、排気誘導板の下端に係止形状を有し、前記加熱室の下方に設置され前記加熱室を支持している底板に設けられた被係止手段によって係止することにより、前記排気誘導板の設置位置規制を行うことが可能となり、加熱室内から排出される排気量を安定して外部に誘導することができる。また、前記加熱室と前記底板を補強する役割も同時に果たすことができ、高周波加熱調理器外部からの衝撃が加わった場合においても加熱室および底板が容易に変形することを防止することが可能となる。
【００１７】
第４の発明は、特に、第１または第２の発明の高周波加熱調理器において、排気誘導板の表面にスペーサーを設置し、前記加熱室を覆う外板と前記排気誘導板の隙間をなくし、かつ前記排気誘導板の下端と加熱室の隙間をなくすことにより、前記排気誘導板の設置位置規制を行うことが可能となり、加熱室内から排出される排気量を安定して外部に誘導することができ、またファンモーターなどから発生する加熱室の振動により発生する加熱室側面と排気誘導板との接触による振動音を防止することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における高周波加熱調理器の外観斜視図、図２は本発明の第１の実施の形態における高周波加熱調理器の庫内吸気側の斜視図、図３は本発明の第１の実施の形態における高周波加熱調理器の庫内排気側の斜視図を示している。
【００２０】
図１において、高周波加熱調理器２０には、食材の加熱調理を行うため被加熱物を収容する加熱室１が設けられている。この加熱室１の前面に形成された被加熱物取出口には、被加熱物取出口を開閉する扉２２が設けられている。
【００２１】
また、図２に示すように、高周波加熱調理器２０の本体内には、高周波発生装置であるマグネトロン３１が設けられている。マグネトロン３１で発生した高周波電力は、導波管を伝播して、加熱室１内へ、供給されるように構成されている。
【００２２】
また、冷却手段３２はマグネトロン３１後方に裏板１５に対向する位置に設置され、裏板１５面から吸い込んだ風を前方のマグネトロン３１に供給する構成になっている。マグネトロン前方には吸気誘導板３３が設置され、マグネトロン３１を冷却した風は吸気誘導板３３を介して、加熱室１側面に構成された吸気口１４から加熱室内に風を流入させるよ
うな構成となっている。吸気口１４から加熱室内に流入した風は、加熱室内において吸気口１４の対向する位置にある図５に示す排気口１２によって加熱室外に加熱室からの排気風を放出させる。
【００２３】
また、加熱室側面の外側で排気口１２と対向する位置に排気誘導板１１が設置されている。排気誘導板１１は上端を加熱室の天板１８で、ビスなどで締結され、排気口１２と対向する面はその面に対して、凹形状４１を構成しており、凹形状４１上には、ビス等で排気誘導板１１に締結された温度スイッチ１３が設置されている。
【００２４】
温度スイッチ１３はある一定温度を超えると、温度スイッチ１３を介して構成されるマグネトロン等の全ての通電を遮断する構造である。
【００２５】
また、天板１８に設置するヒーター１７に関して図３を用いて説明する。一般的に加熱室内に入れた加熱物の表面を焼く場合、天板１８にヒーター１７を設置する方法を取ることがある。天板１８にヒーター１７を貫通させる孔を開けヒーター１７を加熱室内に配置する。
【００２６】
凹形状４１に関しては、図４により示す。図４（ａ）は、本発明の第１の実施の形態における高周波加熱調理器の排気誘導板の曲げによる凹部形状の斜視図、図４（ｂ）は本発明の第１の実施の形態における高周波加熱調理器の排気誘導板の絞りによる凹部形状の斜視図である。
【００２７】
図４（ａ）に示すように、凹形状４１は排気誘導板１１をコの字曲げにより形成している。温度スイッチ１３の配線を考慮すると、温度スイッチ設置面の幅を大きく取る必要があり、この構造が設置面を有効に活用できる手段である。
【００２８】
また、図４（ｂ）に示すように、凹形状４１を絞り形状で形成することも可能である。排気誘導板１１の幅を大きく取ることが可能な場合は、絞り形状を形成することが金型的には簡素化でき優位性がある構成である。
【００２９】
次に、排気誘導板１１の側面形状に関して図３により示す。排気誘導板１１側面には加熱室１から排気口１２を介して排出される排気風量を調整するためのガイド形状５１が形成されている。このガイド形状５１によって排気の方向、風量を調整することが可能となり、高周波加熱調理器表面の温度や、高周波加熱調理器を設置する置き台側面の温度上昇を緩和することが可能になる。
【００３０】
よって、このガイド形状５１は排気誘導板１１側面のいかなる場所においても効果を生み出すことが可能である。またこのガイド形状５１によって排気誘導板１１の強度を上げる効果も同時に得ることができる。
【００３１】
次に、排気誘導板１１の下端の固定に関して、図５により示す。図５（ａ）は本発明の第１の実施の形態における高周波加熱調理器の排気誘導板および底板の要部断面図、図５（ｂ）は本発明の第１の実施の形態における高周波加熱調理器の排気誘導板および底板近傍の斜視図である。
【００３２】
図５（ａ）は、排気誘導板１１および加熱室１の下方に設置され、加熱室１を支持している底板５２の要部断面図である。排気誘導板１１の下端に係止手段を設け、また底板５２には排気誘導板１１の係止手段に嵌合する、または締結する被係止手段を構成することにより、排気誘導板１１を底板５２に固定することができる。
【００３３】
図５（ｂ）は、排気誘導板１１の係止手段として孔５３、底板５２の被係止手段として、爪形状５４を持ったものを示す。この他にも排気誘導板１１、および底板５２に孔を設け、ビスにより締結する手段も可能である。
【００３４】
これらの手段で排気誘導板１１と底板５２を固定することにより、排気誘導板１１の設置位置規制を行うことが可能となり、加熱室内から排出される排気量を安定して外部に誘導することができる。
【００３５】
また、加熱室１と底板５２を補強する役割も同時に果たすことができ、高周波加熱調理器外部からの衝撃が加わった場合においても加熱室１および底板５２が容易に変形することを防止することが可能となる。
【００３６】
また、別の手段で排気誘導板１１を固定する手段を図６により示す。図６は、排気誘導板１１、底板５２、および加熱室１を覆う高周波加熱調理器外側表面を構成する外板６１の要部断面図を示す。排気誘導板１１表面にスペーサー６２を設置する。スペーサー６２は排気誘導板１１と外板６１の隙間をなくすために設置するものであり、弾力性のあるゴムなどを用いることが望ましい。
【００３７】
排気誘導板１１は下端を加熱室側面に接するようにしておき、外板６１を設置するとスペーサー６２により排気誘導板１１は加熱室側面に向かって押さえ込まれることになり、その状態で位置が固定されることになる。この状態を維持することにより、排気誘導板１１の設置位置規制を行うことが可能となり、加熱室１内から排出される排気量を安定して外部に誘導することができ、また冷却手段３２に用いられるファンモーターなどから発生する加熱室の振動により発生する加熱室側面と排気誘導板１１との接触による振動音を防止することができる。
【産業上の利用可能性】
【００３８】
以上のように、本発明にかかる高周波加熱調理器の排気誘導板は、温度スイッチ等の充電部からの感電を防止することが可能となるので、充電部を有する機器への用途に有効である。
【符号の説明】
【００３９】
１  加熱室
１１  排気誘導板
１２  排気口
１３  温度スイッチ（温度過昇防止装置）
１４  吸気口
１５  裏板
１６  外部排気口
１７  ヒーター
１８  天板
２０  高周波加熱調理器
２２  扉
３１  マグネトロン（高周波発生装置）
３２  冷却手段
３３  吸気誘導板
４１  凹形状
５１  ガイド形状
５２  底板
５３  孔
５４  爪形状
６１  外板
６２  スペーサー
【図６】
2014070879.tif 000003
【図１】
2014070879.tif 000004
【図２】
2014070879.tif 000005
【図３】
2014070879.tif 000006
【図４】
2014070879.tif 000007
【図５】
2014070879.tif 000008
【図７】
2014070879.tif 000009
【図８】
2014070879.tif 000010